(57)【要約】【課題】  省エネルギーモード以外の通常動作時にも省エネルギーを行ない、消費電力を低減する。【解決手段】  デジタル複合機のコントローラ部の非常夜電源回路部の各々の電源をＯＦＦできるように電源部を分割して各々の電源部を独立してＯＮ／ＯＦＦできるようにする。【選択図】  図１
2006231553.tif 000002
【特許請求の範囲】
【請求項１】
デジタル複合機のコントローラユニットを省エネルギーモードに遷移させることができ、
省エネルギーモード時に駆動する電源部と、落とす電源部とが分れていて、落とす電源部を制御するコントローラユニットを持つ画像形成装置において、落とす電源部を細分化して、各電源部を制御する制御信号を持ち、印字動作時に駆動しないでよい電源部を落とすことにより印字中に省エネルギーを行うことができる画像形成装置。
【発明の詳細な説明】
【技術分野】
【０００１】
本発明はデジタル画像データに対する画像処理、特に複写機、ファクシミリ、プリンター、スキャナーなどの機能を複合したデジタル複合機における画像データに対する画像処理を行う画像形成装置に関し、特に電気回路への電源供給をＯＮ／ＯＦＦすることにより、省エネを行う省エネルギーモードを有する画像形成装置に関する。
【背景技術】
【０００２】
デジタル複写機等の画像形成装置の省エネルギー化を行うことが、規格、環境問題に対応するために大きな課題になってきている。デジタル複写機などの複合機の省エネルギー対応としては、ＣＰＵ，ネットワークＩ／Ｆ，ＦＡＸ  Ｉ／Ｆ，操作部の省エネキーといった、常に通電させておく必要のある回路部の電源と省エネモード時に電源供給をＯＦＦできる画像処理部、画像入力部、画像出力部などへの電源に電源を分けて、省エネモードに入ったときにＯＦＦできる電源をＣＰＵよりの制御信号により電源をＯＦＦして、消費電力を減らしている。
【０００３】
又、別の従来例としては、特許文献１及び特許文献２をあげることが出来る。
【特許文献１】特開平０９−２９８６１９号公報
【特許文献２】特開２００３−３０８１８２号公報
【発明の開示】
【発明が解決しようとする課題】
【０００４】
省エネモード時にＣＰＵなどの制御部分を除いたＯＦＦできる部分の電源をＯＦＦすることにより、消費電力を減らすことができるが、最近の複合機を制御するＣＰＵは機能が多機能化してきてＣＰＵの消費電力が増えており、省エネモード時の消費電力が増えてきている。
【０００５】
本発明は上記問題に鑑み、省エネモード時のみの省エネにとどまらず、印字動作時においても電源をＯＦＦできる回路部の電源を細分化してＯＦＦできることが可能な部分をＯＦＦすることにより、省エネ状態を作成し、省エネを行うことを目的とする。
【課題を解決するための手段】
【０００６】
図１に従来の１ドラム印字装置コントローラ部の構成を示す。以下にコントローラの説明を行う。
【０００７】
１０３はシステムコントローラであり、リーダユニット１０１、１ドラムプリンタユニット１０２との通信制御、画像データＩ／Ｆで接続される。
【０００８】
システムコントローラ１０３はＣＰＵ，メモリー、リーダ画像処理部、画像圧縮、回転処理部、プリンタ画像処理部、ネットワークＩ／Ｆ，増設機能接続部などで、構成される。
【０００９】
［システムコントローラの構成］
ここで、最初にシステムコントローラ全体の概要について説明する。
１００１はＣＰＵでシステムの制御を行う。１００２はＣＰＵが画像のバッファなどを行うＲＡＭ，１００３はプログラムなどを格納するＲＯＭ，１００４は変倍、回転などを行う画像処理ＡＳＩＣ，１００５は１００４のＡＳＩＣの処理のためのデータバッファのＲＡＭ，１００６は外部バスで制御されるＩＯデバイスで入出力ポート、外部Ｉ／Ｆを持っている。１０１０の操作部ユニット、１０１１のＦＡＸユニットは１００６のＩＯデバイスで制御される。１００７は例えばＰＣＩバスに接続するＩ／Ｆを持っており、ＣＰＵで制御されるＨＤ制御ＡＳＩＣ、１００８はＨＤで、システムのプログラムや画像データを蓄積する処理をする。１００９はネットワークＩ／ＦよりのＰＤＬデータをメモリ展開するユニット（別基板ユニット構成にして多様な対応を可能とする。）１０１２はリーダーの画像データ処理ＡＳＩＣ，１０１３はプリンタの画像データ処理ＡＳＩＣである。
１０１４はネットワークユニットである。
【００１０】
［コピー時の読み取りデータの流れ］
これらを用いて、フルカラー原稿画像を読み取り、システムコントローラが蓄積するときのデータの流れを説明する。
【００１１】
（１）リーダー１０１でスキャンされた画像データ（Ｒ，Ｇ，Ｂ）はシステムコントローラ１０３のリーダ画像処理ＡＳＩＣ１０１２で画像処理される。
【００１２】
（２）回転、解像度変換ＡＳＩＣ１００４を経てＣＰＵ１００１へ送られる。
【００１３】
（３）ＣＰＵ１００１はＲＡＭ１００２をバッファにしながらハードディスク（以下ＨＤ）１００８へデータを格納する。ここで、変倍、回転などの画像処理を行う場合、ＣＰＵ１００１はＨＤ１００８からＡＳＩＣ１００４へデータを送る。ＡＳＩＣ１００４が画像処理をしたデータはまた、ＲＡＭ１００２をバッファとして用いられながらＨＤ１００８へ蓄積される。
【００１４】
（４）ＨＤ１００８から画像データを読み出す。ＡＳＩＣ１００４を経てプリンターＡＳＩＣ１０１３に出力する。
【００１５】
（５）４回原稿を読んで、Ｙ，Ｍ，Ｃ，Ｋに選択して、１ドラムプリンター１０２へ送る。
【００１６】
［ネットワークプリント時のデータの流れ］
（１）ネットワーク１０１４を経てプリントデータがＣＰＵ１００１に送付されて、ＲＡＭ１００２へ蓄えられる。
【００１７】
（２）ＣＰＵ１００１からＰＣＩバスを経てＨＤＤ−ＡＳＩＣ１００７を介し、ＨＤＤ１００８へプリンタデータが送付され蓄えられる。
【００１８】
（３）ＨＤＤ１００８からＰＤＬ−Ｕｎｉｔ１００９へプリンタデータが送付され、処理を行なわれたデータがＣＰＵ１００１を介してＡＳＩＣ１００４、プリンターＡＳＩＣ１０１３を経てプリンター１０２へ送る。
【００１９】
［ＦＡＸ受信プリント時のデータの流れ］
（１）  ＦＡＸ  Ｕｎｉｔ  １０１１よりのＦＡＸ着信信号をＣＰＵ１００１が受けて、ＩＯ−ＡＳＩＣ１００６を介し、ＣＰＵ１００１、ＲＡＭ１００２を経てＨＤＤ１００８に蓄えられる。
【００２０】
（２）ＨＤＤ１００８よりＣＰＵ１００１、ＡＳＩＣ１００４、プリンターＡＳＩＣ１０１３を経てプリンタ１０２へ送られる。
【００２１】
図２に従来の省エネルギーモードを行う構成を示す。
省エネ時にＯＦＦする電源を“＋３．３Ｖ”表記し、これを“非常夜電源“と呼ぶ。対してＣＰＵ等の常にＯＮしている電源を”常夜電源“と呼び、”＋３．３Ｒ“と表記する。図１において各部分に”３．３Ｒ“、”＋３．３Ｖ“を記して、常夜部分、非常夜部分を分けている。
【００２２】
ＣＰＵ１００１、ＲＡＭ１００２、ＲＯＭ１００３、Ｎｅｔｗｏｒｋ１０１４，操作部１０１０のＣＰＵの割り込み入力への“操作部割り込み”、ＦＡＸ  Ｉ／Ｆよりの“ＦＡＸ割り込み”信号を常夜電源で制御している。
【００２３】
その他の回路部解像度変換ＡＳＩＣ１００４、ＲＡＭ１００５、ＩＯ−ＡＳＩＣ１００６、ＨＤＤ−ＡＳＩＣ１００７、ＨＤＤ１００８、ＰＤＬ−Ｕｎｉｔ１００９、操作部１０１０、ＦＡＸ部１０１１、リーダーＡＳＩＣ１０１２、プリンタＡＳＩＣ１０１３は非常夜電源で制御している。
【００２４】
省エネモードに入るタイミングは多種で、操作部より設定した操作をなにもされない時間よりソフトで省エネモードに入る、操作部の省エネルギーキーを押すことにより、入るなどがある。
【００２５】
省エネルギーモードに入ると、ＣＰＵが制御する“電源制御ＯＮ／ＯＦＦ信号”２００２によって、“電源ＯＮ／ＯＦＦ部”２００１をＯＦＦすることにより、非常夜電源をＯＦＦする。
【００２６】
省エネルギーモードから通常動作状態への復帰方法としては、操作部の省エネキーを押すことにより発生する操作部割り込み信号２００３、ＦＡＸユニットよりの通信受信信号より発生するＦＡＸ割り込み信号２００４、ネットワークよりのプリンタ信号により発生するネットワーク割り込み信号２００５がＣＰＵに入ることにより、電源制御ＯＮ／ＯＦＦ信号”２００２によって、“電源ＯＮ／ＯＦＦ部”２００１をＯＮすることにより、非常夜電源をＯＮする。
【００２７】
通常動作状態と省エネルギーモードの消費電力を状態を図３に示す。
【００２８】
通常動作状態では常夜電源と非常夜電源の和の電力が消費されるが、省エネルギーモード時には、常夜電源の電力のみが消費される。
【発明の効果】
【００２９】
以上に説明したようにデジタル複合機のコントローラ部の非常夜電源回路部の各々の電源をＯＦＦできるように電源部を分割して各々の電源部を独立してＯＮ／ＯＦＦできるようにすることによって、省エネルギーモード以外の通常動作時にも省エネルギーを行ない、消費電力を低減することができる。
【発明を実施するための最良の形態】
【００３０】
本発明の実施例を図４に示す。ＣＰＵ１００１よりの制御によりＯＮ制御発生回路４０１より、複数のＯＮ制御信号“ＰＯＮ１”、“ＰＯＮ２”、、、“ＰＯＮ１０”が作成される。この制御信号数は任意であり、ＯＮ制御は各自独立に行われる。
【００３１】
既に説明してあるように省エネルギーモード時にＯＦＦできる電源を非常夜電源と呼び、非常夜電源で駆動されている回路部、解像度変換ＡＳＩＣ１００４、ＲＡＭ１００５、ＩＯ−ＡＳＩＣ１００６、ＨＤＤ−ＡＳＩＣ１００７、ＨＤＤ１００８、ＰＤＬ−Ｕｎｉｔ１００９、操作部１０１０、ＦＡＸ部１０１１、リーダーＡＳＩＣ１０１２、プリンタＡＳＩＣ１０１３の各電源に制御信号によりＯＮ／ＯＦＦされるＯＮ／ＯＦＦ部４０２，４０３，，，４１１を設け各回路部の電源のＯＮ／ＯＦＦを各電源部ごとに行なえる構成にする。
【００３２】
今回の構成で従来の省エネルギーモードを実現させるためには全てのＯＮ制御信号“ＰＯＮ１”、“ＰＯＮ２”、、、“ＰＯＮ１０”をＯＦＦにすれば行うことができる。
【００３３】
このように各電源部をＯＮ／ＯＦＦできる構成にすることにより、省エネルギーモード時に非常夜電源を全てＯＦＦすることにより消費電力を減らすことができることに加えて、印字動作中にも電源を入れておかなくてもよい回路部の電源をＯＦＦすることによって、消費電力を減らすことができる。以下に印字動作中に各電源部をＯＮ／ＯＦＦして省エネを行なう実施例を示していく。
【００３４】
図６は、本発明における各動作時の非常夜電源ＯＮ／ＯＦＦ状態表（表１〜表８）である。
［１］  コピー時の非常夜電源回路部のＯＮ／ＯＦＦ状態
（１）  原稿読み取り時（原稿が少ない時）
原稿量が少ないのをＣＰＵ１００１がＲＡＭ１００２をバッファにして処理している時に判別し、ＨＤＤへの蓄えをする必要がないのを判別したらＨＤＤ−ＡＳＩＣ１００７、ＨＤＤ１００８をＯＦＦする。各状態は図６の表１に示す。
【００３５】
（２）  原稿読み取り時（原稿が多い時）
ＨＤＤを必要と判別された時は、ＨＤＤ−ＡＳＩＣ１００７、ＨＤＤ１００８をＯＮする。
【００３６】
各状態は図６の表２に示す。
【００３７】
（３）  コピーデータ送付時（原稿が少ない時）
リーダーＡＳＩＣ１０１２をＯＦＦし、プリンタＡＳＩＣ１０１３をＯＮする。
各状態は図６の表３に示す。
【００３８】
（４）  コピーデータ送付時（原稿が多い時）
ＨＤＤ−ＡＳＩＣ１００７、ＨＤＤ１００８がＯＮされる。
【００３９】
各状態は図６の表４に示す。
［２］  ネットワークプリンタ時の非常夜電源回路部のＯＮ／ＯＦＦ状態
（１）  プリンタデータが少ない時
ＨＤＤ−ＡＳＩＣ１００７、ＨＤＤ１００８がＯＦＦされる。各状態は図６の表５に示す。
【００４０】
（２）  プリンタデータが多い時
ＨＤＤ−ＡＳＩＣ１００７、ＨＤＤ１００８がＯＮされる。各状態は図６の表６に示す。
［３］  ＦＡＸ受信プリンタ時の非常夜電源回路部のＯＮ／ＯＦＦ状態
（１）  ＦＡＸデータが少ない時
各状態を図６の表７に示す。
【００４１】
（２）  ＦＡＸデータが多い時
各状態を図６の表８に示す。
【００４２】
また、詳述はしないがＲＡＭ１００５を細分化して例えば２つに電源を分けてＯＮ／ＯＦＦすることができるようにすることによってデータ量が少ない時に半分の量のＲＡＭをＯＦＦすることにより、ＲＡＭ１００５の消費電力を減らすことが可能になる。
【００４３】
図５に従来の通常動作状態の消費電力に対する各表時の消費電力の状態を示す。
【００４４】
各状態の電力値の詳細は記述しないが、従来の通常動作状態時の消費電力と比較して、各状態時の消費電力は低くなり、印字動作全体で考えた時の消費電力の低減を行うことができる。
【図面の簡単な説明】
【００４５】
【図１】複合機コントローラブロック図。
【図２】従来の省エネルギーモード構成。
【図３】通常動作時と省エネルギーモード時の消費電力の違い。
【図４】本発明の省エネルギーモード構成。
【図５】通常動作時と本発明の省エネモード時の消費電力の違い。
【図６】本発明における各動作時の非常夜電源ＯＮ／ＯＦＦ状態表。
【図１】
2006231553.tif 000003
【図２】
2006231553.tif 000004
【図３】
2006231553.tif 000005
【図４】
2006231553.tif 000006
【図５】
2006231553.tif 000007
【図６】
2006231553.tif 000008